(57)【要約】【課題】  浮遊ミストの回収動作が被処理物への処理液滴の飛行軌跡に影響して、処理液滴の着弾のずれや欠如による処理不良が発生することがない液体噴射装置及び処理液ミスト回収方法を提供する。【解決手段】  プラテン９１上を搬送される用紙Ｐに対して、搬送方向と略直交する方向に往復移動される印刷ヘッド４４からインク液を噴射するインクジェット式プリンタ１において、浮遊ミストを吸引ファン６９の吸引力で吸引して回収するミスト回収手段７２は、印刷ヘッド４４によるインク液の噴射時には、吸引ファン６９による吸引力を低下させる。【選択図】  図３
2007216639.tif 000002
【特許請求の範囲】
【請求項１】
搬送される被処理物に対して、液体噴射ヘッドから処理液を噴射する液体噴射装置であって、
前記被処理物に付着せずに装置ケース内に浮遊する浮遊ミストを吸引ファンの吸引力で吸引して回収するミスト回収手段を備えており、
前記ミスト回収手段は、前記吸引ファンによる吸引力が前記液体噴射ヘッドから前記被処理物に噴射された処理液滴の飛行軌跡に影響を及ぼさないように、前記液体噴射ヘッドによる処理液の噴射時に前記吸引ファンによる吸引力を低下させることを特徴とする液体噴射装置。
【請求項２】
前記ミスト回収手段は、プラテンに形成された吸引孔と、前記吸引孔と装置ケース外とを連通する吸引ダクトと、前記吸引ダクトに設けられた吸引ファンと、前記浮遊ミストを捕捉するミスト捕捉手段と、を備えることを特徴とする請求項１に記載の液体噴射装置。
【請求項３】
前記ミスト捕捉手段が、前記液体噴射ヘッドから噴射されて前記被処理物に付着しなかった処理液を吸収するべく、前記吸引孔を覆うように前記プラテンに設けられた吸収材を有することを特徴とする請求項２に記載の液体噴射装置。
【請求項４】
前記ミスト回収手段が、前記吸引ダクトを開閉可能な開閉機構を有することを特徴とする請求項２又は３に記載の液体噴射装置。
【請求項５】
搬送される被処理物に対して、液体噴射ヘッドから処理液を噴射する液体噴射装置において、前記被処理物に付着せずに装置ケース内に浮遊する浮遊ミストを吸引・回収する処理液ミスト回収方法であって、
前記液体噴射ヘッドから前記被処理物に噴射された処理液滴の飛行軌跡に影響を及ぼさないように、前記液体噴射ヘッドによる処理液の噴射時には、浮遊ミストを吸引する吸引力を低下させることを特徴とする処理液ミスト回収方法。
【請求項６】
吸引ファンを動作制御することにより、浮遊ミストを吸引する吸引力を低下させることを特徴とする請求項５に記載の処理液ミスト回収方法。
【請求項７】
プラテンに形成された吸引孔と装置ケース外とを連通すると共に吸引ファンを設けた吸引ダクトを開閉制御することにより、浮遊ミストを吸引する吸引力を低下させることを特徴とする請求項５に記載の処理液ミスト回収方法。
【発明の詳細な説明】
【技術分野】
【０００１】
本発明は、搬送される被処理物に対して、搬送方向と略直交する方向に往復移動される液体噴射ヘッドから処理液を噴射する液体噴射装置及び処理液ミスト回収方法に関する。
【背景技術】
【０００２】
液体噴射ヘッドから処理液を噴射する液体噴射装置の一例であるインクジェット式プリンタは、プラテン上を搬送される用紙（被処理物）に対して、搬送方向と略直交する方向に往復移動される印刷ヘッド（液体噴射ヘッド）からインク液（処理液）を噴射する。
近年、インクジェット式プリンタにおける印刷品質の高精細化に伴い、印刷ヘッドから噴射されるインク滴の粒径は、益々微細化されている。そして、このインク滴の微細化に伴い、印刷処理時に、印字ヘッドから噴射されたインク滴の一部が用紙の印刷面に付着せずに微小なインクミストとして装置ケース内に浮遊し易くなっている。
【０００３】
この様な装置ケース内に浮遊するインクミスト（浮遊ミスト）は、装置ケース内の搬送手段等に付着して印刷品質の低下を招く虞がある。
そこで、装置ケース内の浮遊ミストを、吸引ファンにより吸引して回収するミスト回収手段を装備したプリンタも提案されている（例えば、特許文献１，２参照）。
【０００４】
図７は、従来のプリンタに装備されたミスト回収手段の処理手順を示したものである。
印字命令に従って用紙給紙がなされると（ステップＳ１０１）、ミスト回収手段の吸引ファンがＯＦＦからＯＮにされて吸引力がＯＮにされる（ステップＳ１０２）。
次いで、用紙上の最初の印字位置から、１バンド印字（キャリッジが用紙幅方向へ一往復する間に、印刷ヘッドにより実施される印字）と、用紙を一定量（１バンド分）送る紙送りとを印字完了まで繰り返す（ステップＳ１０３〜Ｓ１０５）。
そして、その用紙への印字が全て完了したら、ミスト回収手段の吸引ファンがＯＮからＯＦＦにされて吸引力がＯＦＦにされ（ステップＳ１０６）、用紙の排紙により処理が終了となる。
【０００５】
【特許文献１】特開平７−１７０３７号公報
【特許文献２】特公平８−１１４４７号公報
【発明の開示】
【発明が解決しようとする課題】
【０００６】
しかしながら、図７に示した従来のミスト回収手段の処理では、ミストの発生を低減する為に吸引ファンの吸引力を強くすると、印字処理中にミスト回収手段の吸引ファンの吸引力で発生する気流によって、印字ヘッドから用紙に噴射されたインク滴の飛行軌跡に乱れが生じ、インク滴の着弾位置のずれによる画質の低下が発生することがあった。この問題は、用紙の縁まで印刷する縁無し印刷時に特に顕著になる。
【０００７】
即ち、用紙に縁無し印刷が実施された場合、用紙の中央領域では吸引ファンの吸引力による気流の影響が小さく、目立つ画質の低下は生じないが、用紙の周縁領域は、吸引ファンの吸引力による気流の影響を強く受け易い。そこで、インク滴の飛行軌跡が用紙の外側に曲がるなどして、インク滴の着弾数の低下や着弾の位置ずれが発生するために、印刷色が薄くなったり、画像に歪みが出たりするなどの画質低下が発生してしまうという問題があった。
【０００８】
従って、本発明の目的は上記課題を解消することに係り、浮遊ミストの回収動作が被処理物への処理液滴の飛行軌跡に影響して、処理液滴の着弾のずれや欠如による処理不良が発生することがない液体噴射装置及び処理液ミスト回収方法を提供することである。
【課題を解決するための手段】
【０００９】
本発明の上記目的は、搬送される被処理物に対して、液体噴射ヘッドから処理液を噴射する液体噴射装置であって、
前記被処理物に付着せずに装置ケース内に浮遊する浮遊ミストを吸引ファンの吸引力で吸引して回収するミスト回収手段を備えており、
前記ミスト回収手段は、前記吸引ファンによる吸引力が前記液体噴射ヘッドから前記被処理物に噴射された処理液滴の飛行軌跡に影響を及ぼさないように、前記液体噴射ヘッドによる処理液の噴射時に前記吸引ファンによる吸引力を低下させることを特徴とする液体噴射装置により達成される。
【００１０】
上記構成の液体噴射装置によれば、液体噴射ヘッドによる処理液の噴射時には、吸引ファンを停止させたり、回転を弱めたりすることによって、ミスト回収手段の吸引ファンによる吸引力を低下させることができるので、ミスト回収手段の吸引によって発生する気流が被処理物への処理液滴の飛行軌跡に影響を及ぼすことが回避される。
そこで、ミスト回収手段の吸引によって発生する気流が処理液滴の着弾のずれや欠如による処理不良を発生させることがなく、被処理物の全域に、高精度な噴射処理を実現することができる。
【００１１】
なお、上記構成の液体噴射装置において、前記ミスト回収手段は、プラテンに形成された吸引孔と、前記吸引孔と装置ケース外とを連通する吸引ダクトと、前記吸引ダクトに設けられた吸引ファンと、前記浮遊ミストを捕捉するミスト捕捉手段と、を備えることが望ましい。
【００１２】
このような構成の液体噴射装置によれば、プラテンに形成された吸引孔から装置ケース内に浮遊する浮遊ミストの吸引・回収が行われ、装置ケース内の各部が浮遊ミストによって汚損されることを防止する。また、吸引孔から吸引ダクトに吸引された浮遊ミストは、ミスト捕捉手段に確実に捕捉されるので、浮遊ミストが装置ケース外部に放出されて装置周囲の環境を汚損することもない。
【００１３】
また、上記構成の液体噴射装置において、前記ミスト捕捉手段が、前記液体噴射ヘッドから噴射されて前記被処理物に付着しなかった処理液を吸収するべく、前記吸引孔を覆うように前記プラテンに設けられた吸収材を有することが望ましい。
【００１４】
このような構成の液体噴射装置によれば、液体噴射ヘッドから噴射されて被処理物に付着しなかった処理液を吸収する吸収材が、浮遊ミストを捕捉するミスト捕捉手段としてのミスト吸収材を兼用する構成のため、専用のミスト吸収材を装備する場合と比較すると、吸引孔や吸引ダクトの配設が容易になり、装置の大型化やコストアップを抑えることができる。
【００１５】
また、上記構成の液体噴射装置において、前記ミスト回収手段が、前記吸引ダクトを開閉可能な開閉機構を有することが望ましい。
このような構成の液体噴射装置によれば、開閉機構を開閉動作させることで、処理液の噴射時に浮遊ミストを吸引する吸引力を容易且つ確実に低下させることができる。
【００１６】
また、本発明の上記目的は、搬送される被処理物に対して、液体噴射ヘッドから処理液を噴射する液体噴射装置において、前記被処理物に付着せずに装置ケース内に浮遊する浮遊ミストを吸引・回収する処理液ミスト回収方法であって、
前記液体噴射ヘッドから前記被処理物に噴射された処理液滴の飛行軌跡に影響を及ぼさないように、前記液体噴射ヘッドによる処理液の噴射時には、浮遊ミストを吸引する吸引力を低下させることを特徴とする処理液ミスト回収方法により達成される。
【００１７】
上記の処理液ミスト回収方法によれば、液体噴射ヘッドによる処理液の噴射時には、吸引ファンを停止させたり、回転を弱めたりすることによって、浮遊ミストを吸引する吸引力を低下させるので、吸引によって発生する気流が被処理物への処理液滴の飛行軌跡に影響を及ぼすことが回避される。
そこで、吸引によって発生する気流が処理液滴の着弾のずれや欠如による処理不良を発生させることがなく、被処理物の全域に、高精度な噴射処理を実現することができる。
【００１８】
なお、上記の処理液ミスト回収方法において、吸引ファンを動作制御することにより、浮遊ミストを吸引する吸引力を低下させることが望ましい。
このような構成の処理液ミスト回収方法によれば、吸引ファンの動作制御は、例えば吸引ファンへの給電を制御することで簡単に実現できるため、処理液の噴射時に浮遊ミストを吸引する吸引力を容易且つ確実に低下させることができる。
【００１９】
また、上記の処理液ミスト回収方法において、プラテンに形成された吸引孔と装置ケース外とを連通すると共に吸引ファンを設けた吸引ダクトを開閉制御することにより、浮遊ミストを吸引する吸引力を低下させることが望ましい。
このような構成の処理液ミスト回収方法によれば、吸引ダクトの開閉制御は、例えば吸引ダクトに設けた開閉機構を開閉動作させることで簡単に実現できるため、処理液の噴射時に浮遊ミストを吸引する吸引力を容易且つ確実に低下させることができる。
【発明の効果】
【００２０】
本発明に係る液体噴射装置及び処理液ミスト回収方法によれば、液体噴射ヘッドによる処理液の噴射時には、吸引ファンを停止させたり、回転を弱めたりすることによって、浮遊ミストを吸引する吸引力を低下させるので、吸引によって発生する気流が被処理物への処理液滴の飛行軌跡に影響を及ぼすことが回避される。
【００２１】
そこで、吸引によって発生する気流が処理液滴の着弾のずれや欠如による処理不良を発生させることがなく、被処理物の全域に、高精度な噴射処理を実現することができる。
従って、浮遊ミストの回収動作が被処理物への処理液滴の飛行軌跡に影響して、処理液滴の着弾のずれや欠如による処理不良が発生することがない液体噴射装置及び処理液ミスト回収方法を提供することができる。
【発明を実施するための最良の形態】
【００２２】
以下、添付図面に基づいて本発明の一実施形態に係る液体噴射装置を詳細に説明する。
図１は本発明の第１実施形態に係る液体噴射装置の外観斜視図、図２は図１に示した液体噴射装置から排紙トレイ及び上部ケースを取り外した状態の外観斜視図、図３は図１に示した液体噴射装置の要部断面図、図４は図３に示したミスト回収手段のミスト吸引動作の制御を示すフローチャート、図５は図３に示したプラテン上を搬送される用紙に対するヘッド位置とファン吸引制限範囲を示す平面図である。
【００２３】
本第１実施形態に係る液体噴射装置としてのインクジェット式プリンタ１は、フロント給・排紙タイプのプリンタであり、図１に示すように、上部ケース２と下部ケース３とから構成される装置ケース４の前面中央に、用紙Ｐを積層収容した略箱形の用紙カセット５が着脱自在に挿着されている。
また、用紙カセット５の上面開放部を覆うように、印刷が終了した用紙を受ける排紙トレイ６が装備されている。
更に、装置ケース４の前面左右には、インジケータ等の表示部７や電源スイッチ等の操作部８が配設されている。
【００２４】
装置ケース４の内部には、図２及び図３に示すように、給紙ユニット２２のピックアップローラ（給紙ローラ）２１によって用紙カセット５から一枚ずつ繰り出される用紙ＰをＵ字状搬送経路（搬送経路）に沿って搬送する搬送機構１１と、この搬送機構１１によるＵ字状搬送経路の途中に用紙Ｐの搬送方向と直交する方向へ往復移動自在に装備されたキャリッジ１３と、このキャリッジ１３に搭載されて用紙Ｐに記録用インク（処理液）の微少滴を噴射して印刷を行う印刷ヘッド（液体噴射ヘッド）４４と、その印刷ヘッド４４に供給する記録用インクを貯留したインクタンク１５，１６と、搬送機構１１による用紙Ｐの搬送速度やキャリッジ１３の移動速度や印刷ヘッド４４のインク噴射動作等を制御する不図示の制御部（ＣＰＵ）とが設けられている。
【００２５】
本実施形態のインクジェット式プリンタ１の場合、搬送機構１１によって用紙Ｐが搬送されるＵ字状搬送経路は、図３に示すように、用紙カセット５から繰り出された用紙Ｐを搬送する円弧状搬送経路Ａと、この円弧状搬送経路Ａから排紙トレイ６へ繋がる直線状搬送経路Ｂとから構成されている。
また、搬送機構１１は、オートシートフィーダ（ＡＳＦ）部と紙送り部とを有している。
【００２６】
上記オートシートフィーダ部は、用紙カセット５に積層収容されている複数枚の用紙Ｐを一枚ずつ装置後方の円弧状搬送経路Ａの入口に繰り出す給紙ユニット２２と、円弧状搬送経路Ａに装備されて給紙ユニット２２が繰り出した用紙Ｐを下流側に所定距離だけ離れた給紙用ローラ対４１に挟持搬送する為の中間ローラ３１及びアシストローラ３３と、中間ローラ３１の外周に沿って送られる用紙Ｐの搬送方向を円弧状搬送経路Ａの出口に至る円弧状に規制するガイド部３４と、から構成されている。
【００２７】
駆動ローラとしての中間ローラ３１は、従動ローラとしてアシストローラ３３との間に用紙Ｐを挟むことで、用紙Ｐを挟持搬送する。アシストローラ３３の上流側には、リタードローラ３２が設けられており、複数枚の用紙Ｐが円弧状搬送経路Ａに繰り出されるのを防止している。
【００２８】
上記紙送り部は、直線状搬送経路Ｂ上に設定された駆動ローラとしての紙送りローラ４１ａと従動ローラ４１ｂとで構成される前記給紙用ローラ対４１によって、円弧状搬送経路Ａから搬送されてきた用紙Ｐをその下流に設定されたプラテン面（印刷用基準面）９１ａを備えたプラテン９１上に搬送する紙送り部である（図３参照）。
本実施形態の場合、給紙用ローラ対４１は、用紙Ｐの下面に接触する駆動ローラとしての紙送りローラ４１ａに、従動ローラ４１ｂが用紙Ｐの上面を押圧付勢することにより、該用紙Ｐを挟持搬送する。
【００２９】
また、装置ケース４の内部には、プラテン９１のプラテン面９１ａ上に搬送されてきた用紙Ｐに対して文字や図形等の画像を印刷する液体噴射ヘッドとしての印刷ヘッド４４が組み込まれている。印刷ヘッド４４によって印刷処理が済んだ用紙Ｐは、駆動ローラである排紙ローラ４８ａと従動ローラであるスターホイール４８ｂとによって構成される排紙用ローラ対４８によって挟持搬送され、Ｕ字状搬送経路出口の排紙トレイ６に排出される。
【００３０】
給紙ユニット２２は、図３に示すように、先端に繰り出し用のピックアップローラ２１を備えたフレーム２５の後端が支持ピン２４によって図中上下方向に回動可能に構成されている。この給紙ユニット２２は、給紙レバー２５の上下方向の揺動により、用紙カセット５内の最上部の用紙Ｐに対してピックアップローラ２１を接触させることが可能である。
【００３１】
給紙ユニット２２は、当該インクジェット式プリンタ１の休止時には図３に示すように給紙レバー２５が略水平に維持されて、ピックアップローラ２１が用紙カセット５上の用紙Ｐから離れた状態に保たれる。
そして給紙時には、支持ピン２４を中心とする給紙レバー２５の下方への回動によって、ピックアップローラ２１が用紙カセット５内の最上部の用紙Ｐに押し付けられ、ピックアップローラ２１の回転によって用紙カセット５内の用紙Ｐが傾斜した摩擦パッド２３に当接し、その摩擦力と用紙Ｐの腰の強さによって分離されながら、一枚ずつ円弧状搬送経路Ａに繰り出される。
【００３２】
この際、リタードローラ３２は、用紙Ｐに用紙カセット５へ押し戻す方向の力を付与しつつ、中間ローラ３１との間に挟むことで、用紙Ｐを１枚ずつ分離して下流の円弧状搬送経路Ａに分離搬送する
給紙が済んで、印刷ヘッド４４によって印刷が開始される時には、図３に示すように、給紙レバー２５は元の水平状態に戻される。
【００３３】
ガイド部３４の上方側には、搬送されてきた用紙Ｐを直線状搬送経路Ｂ側に向けて送るアシストローラ３３と共に補助ガイド部材３５が設けられている。
この補助ガイド部材３５は、ガイド部３４に対して後端側が回動可能に支持され、先端側が揺動自在とされている。
そして、この補助ガイド部材３５は、円弧状搬送経路Ａから直線状搬送経路Ｂへ搬送される用紙Ｐを上方側から自重により押さえ、該用紙Ｐを直線状搬送経路Ｂに沿ってインクジェット式プリンタ１の前方側に案内する。
【００３４】
給紙用ローラ対４１を構成している紙送りローラ４１ａ及び従動ローラ４１ｂは、円弧状搬送経路Ａの出口端（ガイド部３４の下流側端部）から装置前面側に所定距離離れて設けられており、円弧状搬送経路Ａから直線状搬送経路Ｂに送り出されてきた用紙Ｐを挟持して印刷位置である印刷ヘッド４４の下に搬送する。そして、紙送りローラ４１ａの回転駆動量を制御することにより、用紙Ｐを印刷ヘッド４４に対して位置決めすることが可能である。
【００３５】
印刷ヘッド４４は、図３に示すように、用紙Ｐに向かってインクを吐出させる吐出ノズル４６を有しており、この吐出ノズル４６よりも搬送経路の上流側には、用紙Ｐを検出すると共にその幅を検出するＰＷセンサ４７が設けられている。
このＰＷセンサ４７は、用紙Ｐに向かって照射した光の反射光を検出することにより、用紙Ｐの有無を検出し、キャリッジ１３の移動により用紙Ｐの幅を検出する。
なお、本実施形態のインクジェット式プリンタ１では、このＰＷセンサ４７と同様に光の反射光を検出することで用紙Ｐの有無を検出する用紙検出センサが、搬送経路の適宜箇所に設置されている。
【００３６】
プラテン９１の上方に配置されるキャリッジ１３は、図２に示すキャリッジ駆動機構５０により用紙幅方向に駆動される。
キャリッジ駆動機構５０は、図２に示すように、用紙幅方向に延在する一対のキャリッジ軸５２，５３によりキャリッジ１３を用紙幅方向に移動自在に支持し、キャリッジ１３が固定されたタイミングベルト５４をキャリッジモータ１４によって駆動することで、キャリッジ１３を用紙幅方向の任意位置に移動させる。
【００３７】
このインクジェット式プリンタ１は、用紙Ｐの搬送方向を副走査方向、キャリッジ１３の移動方向を主走査方向として、キャリッジ１３に搭載された印刷ヘッド４４からのインク吐出を制御することで、用紙Ｐに文字や図形等の画像記録（印刷）を行う。
また、本実施形態のキャリッジ駆動機構５０には、キャリッジモータ１４によって移動するキャリッジ１３の用紙幅方向の位置を検出する位置検出センサが設けられている。
この位置検出センサは、キャリッジ軸５３に沿って平行に配置された直線状のリニアスケール（メインスケール）５５と、キャリッジ１３に搭載されてキャリッジ移動時に対向するリニアスケール５５上のスケールを読むエンコーダ（図示せず）とを備えた構成であり、エンコーダの検出した検出信号に基づいて、ＤＣモータからなるキャリッジモータ１４が動作制御される。
【００３８】
本第１実施形態のインクジェット式プリンタ１は、図３に示すように、用紙Ｐに付着せずに装置ケース４内に浮遊する浮遊ミストを吸引ファン６９の吸引力で吸引して回収するミスト回収手段７２を備えている。
このミスト回収手段７２は、プラテン９１に形成された吸引孔６３と、これら吸引孔６３と装置ケース４外とを連通する吸引ダクト６１と、吸引ダクト６１の出口側開口端に設けられた吸引ファン６９と、浮遊ミストを捕捉するミスト捕捉手段としてのミスト吸収材７１と、を備えている。
【００３９】
本実施形態の場合、ミスト吸収材７１は、吸引孔６３を覆うようにプラテン９１に設けられており、印刷ヘッド４４の吐出ノズル４６から噴射されて用紙Ｐに付着しなかったインク滴を吸収するための吸収材を兼ねている。
即ち、ミスト吸収材７１は、キャリッジ１３に搭載されて用紙幅方向に移動する印刷ヘッド４４の吐出ノズル４６と対向するプラテン９１の用紙幅方向に沿った領域に配設されている。
【００４０】
そこで、縁無し印刷時等に用紙Ｐに着弾しなかったインク滴は、ミスト吸収材７１に吸収され、用紙Ｐに付着しなかった浮遊ミストは、ミスト吸収材７１の下方に位置する吸引孔６３に吸引されてミスト吸収材７１に捕捉される。このミスト吸収材７１は、例えばスポンジ等の多孔質部材により構成されことが望ましい。
【００４１】
吸引ダクト６１は、プラテン９１の用紙幅方向に沿って適宜配置された複数の吸引孔６３に対応する幅広の入口側開口端と、吸引ファン６９が取付けられる出口側開口端とを備え、装置ケース４内に敷設されたダクトである。
更に、本実施形態における吸引ダクト６１に装備された吸引ファン６９を動作制御する制御部は、吸引ファン６９への給電をオン・オフ制御することによって、用紙Ｐに向けて噴射されたインク滴の飛行軌跡に影響を及ぼさないように吸引ファン６９の吸引力を低下させることができる。
【００４２】
上述のインクジェット式プリンタ１では、用紙Ｐがプラテン９１上に搬送される印刷処理時には、印刷ヘッド４４の印字動作に応じて、ミスト回収手段７２による吸引動作が図４に示したフローチャートに基づいて制御される。
【００４３】
まず、印字命令に従って。用紙Ｐ上の最初の印字位置が印刷ヘッド４４による印字位置に位置決めされるように、用紙給紙がなされる（ステップＳ４０１）。
次いで、次のステップＳ４０２により、１バンド印字（キャリッジ１３が用紙幅方向へ一往復する間に、印刷ヘッド４４により実施される印字）が実施される。
【００４４】
次いで、印字が完了すると、ミスト回収手段７２の吸引ファン６１がＯＦＦからＯＮに切り替えられて、吸引孔６３からのミスト吸引が開始される（ステップＳ４０３）。
次に、１バンド分の紙送りが実施される（ステップＳ４０４）ことで、印字していない紙送り中にミストが吸引される事になる。１バンド分の紙送りが完了すると、次のステップＳ４０５に移行する。
【００４５】
ステップＳ４０５では、ミスト回収手段７２の吸引ファン６９がＯＮからＯＦＦに切り替えられて、吸引孔６３からのミスト吸引が停止される。
以上の１バンド印字、１バンド分の紙送り、所定時間のミスト吸引は、その用紙Ｐ上の全ての印字が完了するまで、繰り返される（ステップＳ４０６）。
【００４６】
そして、その用紙Ｐ上の全ての印字が完了すると、用紙Ｐが排紙トレイ６上に排紙されるまで、ミスト回収手段７２の吸引ファン６９がＯＦＦからＯＮに切り替えられて、吸引孔６３からのミスト吸引が継続される（ステップＳ４０７，Ｓ４０８）。
そして、用紙Ｐが排紙トレイ６上に排紙されると、ミスト回収手段７２の吸引ファン６９がＯＮからＯＦＦに切り替えられて、吸引孔６３からのミスト吸引が停止されて、処理が終了する（ステップＳ４０９）。
【００４７】
即ち、本第１実施形態のインクジェット式プリンタ１は、上述したミスト回収手段７２による吸引ファン６９のオン・オフ制御をすることによって、印刷ヘッド４４が図４に示した用紙Ｐの外形よりも広いファン吸引制限領域Ｒ１内に位置する際には、用紙Ｐに向けて噴射されたインク滴の飛行軌跡に影響を及ぼさないように吸引ファン６９の吸引力を低下させることができる。
【００４８】
そして、用紙Ｐに向けてインク滴が噴射されない非印刷時には、ミスト回収手段７２の吸引ファン６９が駆動されてミスト吸引動作が実施される。そこで、印刷ヘッド４４から噴射されて用紙Ｐに付着しなかった浮遊ミストは、吸引ダクト６１を介してミスト吸収材７１の下方に位置する吸引孔６３に吸引され、ミスト吸収材７１に捕捉回収される。
従って、装置ケース４内の各部が、浮遊ミストによって汚損されることが防止されると共に、ミスト回収手段７２に吸引された浮遊ミストはミスト吸収材７１に確実に捕捉され、浮遊ミストが装置ケース４外部に放出されて装置周囲の環境を汚損することもない。
【００４９】
なお、本発明のミスト回収手段７２によるミスト吸引動作は、用紙Ｐに向けて噴射されたインク滴の飛行軌跡に影響を及ぼさないように吸引ファン６９の吸引力を低下させれば良いので、印刷ヘッド４４が図４に示した用紙Ｐの外形よりも狭いファン吸引非制限領域Ｒ２内に位置する際には、吸引ファン６９を駆動させることもできる。
【００５０】
そこで、印刷ヘッド４４がファン吸引非制限領域Ｒ２内に位置している場合、吸引ファン６９により吸引孔６３に作用する吸引力は用紙Ｐに向けて噴射されたインク滴の飛行軌跡に殆ど影響を与えることが無いので、ミスト回収手段７２によるミスト吸引動作を実施することができる。
即ち、本発明のミスト回収手段７２は、プラテン上を搬送される用紙Ｐの少なくとも外周縁（前後端及び両側端）近傍に印刷ヘッド４４が位置する際に、吸引ファン６９の吸引力を低下させれば良い。
【００５１】
以上に説明した本第１実施形態のインクジェット式プリンタ１によれば、印刷ヘッド４４による印字処理時（インク滴の噴射時）には、ミスト回収手段７２の吸引ファン６９を停止させたり、回転を弱めたりすることによって、ミスト回収手段７２の吸引ファン６９による吸引力を低下させることができるので、ミスト回収手段７２の吸引によって発生する気流が用紙Ｐへのインク滴の飛行軌跡に影響を及ぼすことが回避される。
従って、ミスト回収手段７２の吸引によって発生する気流がインク滴の着弾のずれや欠如等による印刷不良を発生させることはなく、縁無し印刷等を実施した場合でも、用紙Ｐの周縁部を含む用紙全域に、高精度な画像印刷処理を実現することができる。
【００５２】
尚、本実施形態におけるミスト吸収材７１は、印刷ヘッド４４の吐出ノズル４６から噴射されて用紙Ｐに付着しなかったインク滴を吸収するための吸収材を兼用する構成のため、専用のミスト吸収材を装備する場合と比較すると、吸引孔６３や吸引ダクト６１の配設が容易になり、装置の大型化やコストアップを抑えることができる。
【００５３】
また、上記実施形態では、印刷ヘッド４４の印字動作時には、ミスト回収手段７２の吸引ファン６９を停止させることで、吸引孔６３からのミスト吸引力を低下させた。即ち、制御部が吸引ファン６９への給電をＯＮからＯＦＦに切り替えても、直ちに吸引力が完全にゼロとなるわけではないが、印刷ヘッド４４が噴射したインク滴の飛行軌跡に影響を及ぼさない程度に吸引ファン６９の吸引力が低下すれば良いので、問題はない。勿論、吸引ファン６９の吸引力が完全にゼロとなるように、ミスト回収手段を構成することも可能である。
【００５４】
例えば、図６に示した本発明の第２実施形態に係るインクジェット式プリンタにおけるミスト回収手段１７２のように、吸引ダクト６１の途中に開閉機構であるバタフライ弁８０を設け、吸引ダクト６１を開閉制御することにより、吸引孔６３から浮遊ミストを吸引する吸引力を低下させるように構成することもできる。
このようなミスト回収手段１７２によれば、吸引ダクト６１に設けたバタフライ弁８０を開閉動作させることで、簡単に吸引力を切り替えることができるため、インク滴の噴射時に浮遊ミストを吸引する吸引力を容易且つ確実に低下させることができる。
【００５５】
なお、上記各実施形態においては、浮遊ミストを捕捉するミスト捕捉手段としてのミスト吸収材７１が、印刷ヘッド４４の吐出ノズル４６から噴射されて用紙Ｐに付着しなかったインク滴を吸収するための吸収材を兼用する構成であるが、本発明はこれに限定されるものではなく、本発明の趣旨に基づいて種々の形態を採りうることは云うまでもない。
例えば、吸引ダクト６１の出口側開口端に設けられた吸引ファン６９の上流又は下流に、ミスト捕捉手段として通気性を有した多孔質構造のミストフィルターを配設することもできる。また、ミストフィルターの代わりに、回収タンクを装備するようにしても良い。
【００５６】
また、本発明に係る液体噴射装置は、上記実施形態で例示したインクジェット式プリンタをはじめとして、例えば液晶ディスプレー等のカラーフィルタ製造に用いられる色材噴射ヘッドを備えた装置、有機ＥＬディスプレー、面発光ディスプレー（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置、捺染装置やマイクロデスペンサ等にも適用できる。
【図面の簡単な説明】
【００５７】
【図１】本発明の第１実施形態に係る液体噴射装置の外観斜視図である。
【図２】図１に示した液体噴射装置から排紙トレイ及び上部ケースを取り外した状態の外観斜視図である。
【図３】図１に示した液体噴射装置の要部断面図である。
【図４】図３に示したミスト回収手段のミスト吸引動作の制御を示すフローチャートである。
【図５】図３に示したプラテン上を搬送される用紙に対するヘッド位置とファン吸引制限範囲を示す平面図である。
【図６】本発明の第２実施形態に係る液体噴射装置の要部断面図である。
【図７】従来のインクジェット式プリンタにおけるミスト回収手段の動作を示すフローチャートである。
【符号の説明】
【００５８】
１…インクジェット式プリンタ（液体噴射装置）、２…上部ケース、３…下部ケース、４…装置ケース、５…用紙カセット、６…排紙トレイ、１１…搬送機構、１３…キャリッジ、１４…キャリッジモータ、４４…印刷ヘッド（液体噴射ヘッド）、５０…キャリッジ駆動機構、５２，５３…キャリッジ軸、６１…吸引ダクト、６３…吸引孔、６９…吸引ファン、７１…ミスト吸収材（ミスト捕捉手段）、７２…ミスト回収手段、８０…バタフライ弁（開閉機構）、９１…プラテン、Ｐ…用紙（被処理物）
【図１】
2007216639.tif 000003
【図２】
2007216639.tif 000004
【図３】
2007216639.tif 000005
【図４】
2007216639.tif 000006
【図５】
2007216639.tif 000007
【図６】
2007216639.tif 000008
【図７】
2007216639.tif 000009